(57)【特許請求の範囲】
【請求項１】
支柱により支持された桁材を長手方向に直列状に配置し、前記長手方向に隣り合う前記各桁材の対向端部を継ぎ手を介して連結した組み立て構築物において、前記継ぎ手はその両側の前記各桁材の上端縁の延長線上又はその近傍に前記桁材の幅方向に配置された連結軸を有し、前記桁材上に配置された主屋根と、前記継ぎ手の上方に配置された連結屋根とを備え、前記連結屋根は一方の前記桁材上に近接して設けられた受け板と、他方の前記桁材上に前記受け板側に傾斜して設けられ且つ先端側が前記受け板の先端側との間に所定の隙間をおいてオーバーラップする掛け板とを備えたことを特徴とする組み立て構築物。
【請求項２】
前記各桁材上に配置された前記主屋根と、前記各主屋根間を連結する前記連結屋根とを備え、前記継ぎ手は先端部に前記連結軸が回動自在に挿通され且つ基部側が前記桁材に固定された挟持ブラケットと、先端部に前記連結軸が回動自在に挿通され且つ基部側が前記桁材に固定された嵌合ブラケットとを備え、前記挟持ブラケット及び前記嵌合ブラケットは前記挿通孔側から前記基部の下端側に傾斜する傾斜縁部が形成されていることを特徴とする請求項１に記載の組み立て構築物。
【発明の詳細な説明】
【０００１】
【発明の属する技術分野】
本発明は、支柱の上側に支持された桁材を幅方向に間隔を置いて並行状に配置すると共に長手方向に継ぎ手を介して連結した組み立て構築物に関するものである。
【０００２】
【従来の技術】
通路等に設置される組み立て構築物で、支柱の上側に支持された桁材を、幅方向に間隔を置いて並行状に連結すると共に長手方向に直列状に配置し、長手方向に隣り合う桁材の相対向する端部を継ぎ手を介して連結したものには、従来、実開平７−４６２５号公報に記載のものがある。
【０００３】
この組み立て構築物は、長手方向に隣り合う桁材を、水平面と傾斜面（例えば階段、坂道等）との境界部の上側の継ぎ手を介して、傾斜面の傾斜角度に対応する屈曲状に連結している。この継ぎ手は、先端側に多数の挿通孔が形成され且つ基部側が相対向する桁材の端部に夫々取り付けられた一対のブラケットと、この各ブラケットを連結する連結軸とを備え、その各ブラケット間で連結角度に応じて合致する２組の挿通孔に２本の連結軸を挿通して、隣り合う桁材を適当な角度で連結できるようになっている。従って、この組み立て構築物は、隣り合う桁材の連結角度の変化に対応するために別々の継ぎ手を用意したり、施工時に連結角度に合わせて連結用の部材を加工したりする必要がなく、コストを削減できる利点がある。
【０００４】
【発明が解決しようとする課題】
しかしこの継ぎ手は、既定の連結角度用に各ブラケットに形成された挿通孔に、２本の連結軸を挿通して桁材を連結するように構成されているため、予め決められた連結角度を段階的に選択することしかできず、傾斜面の傾斜角度等に応じた連結角度の微調整ができないといった問題がある。
【０００５】
またこのような組み立て構築物は、桁材の上側に雨避け、日避け等の屋根を設けることが一般的であり、桁材の連結部の上方にはその連結角度に対応する連結屋根を設けている。しかし従来の組み立て構築物では、その継ぎ手の連結角度を変える際の実質的な中心が上下方向の略中心となっており、連結角度の変化に伴う相対向する桁材の上端部間の距離の変化が大きいため、桁材の連結角度が夫々異なる各連結部に同一の連結屋根を用いることが難しい。従って、各連結部毎に大きさ、形状等の異なる連結屋根が必要となり、部品点数が増え、コストが増加してしまう問題がある。
【０００６】
さらに、このような組み立て構築物では、その継ぎ手の連結角度の選択可能範囲を大きくすることが望ましい。即ち、同一構成の継ぎ手で小さい連結角度から大きい連結角度にまで対応できれば、連結角度の大小に応じて複数種類の継ぎ手を製造する必要がなく、コストを削減することができる。
【０００７】
本発明は、かかる従来の問題点に鑑み、桁材を連結する継ぎ手の連結角度を無段階に選択できると共に、連結角度の変化に伴う相対向する桁材の上端部間の距離の変化を小さくでき、しかも部品点数を少なくすることができる組み立て構築物を提供することを目的とする。
【０００８】
【課題を解決するための手段】
本発明は、支柱により支持された桁材を長手方向に直列状に配置し、前記長手方向に隣り合う前記各桁材の対向端部を継ぎ手を介して連結した組み立て構築物において、前記継ぎ手はその両側の前記各桁材の上端縁の延長線上又はその近傍に前記桁材の幅方向に配置された連結軸を有し、前記桁材上に配置された主屋根と、前記継ぎ手の上方に配置された連結屋根とを備え、前記連結屋根は一方の前記桁材上に近接して設けられた受け板と、他方の前記桁材上に前記受け板側に傾斜して設けられ且つ先端側が前記受け板の先端側との間に所定の隙間をおいてオーバーラップする掛け板とを備えたものである。
【０００９】
【発明の実施の形態】
以下、本発明の各実施形態を図面に基づいて詳述する。図１〜図１４は本発明の第１の実施形態を例示している。この実施形態は、本発明に係る組み立て構築物を水平面１と傾斜面２とに跨って設置したものである。
【００１０】
図１〜図３において、水平面１、傾斜面２に立設された支柱３の上側に桁材４が支持され、この桁材４が幅方向に所定間隔を置いて並列状に配置されると共に長手方向に直列状に配置されており、水平面１と傾斜面２との境界部の上側で、長手方向に隣り合う桁材４が継ぎ手５を介して上下方向の屈曲状に連結されている。そして桁材４の上側には、各桁材４の連結部６の近傍を除いて主屋根７が設けられると共に、連結部６の両側の主屋根７の間に連結屋根８が設けられている。
【００１１】
支柱３は、図１及び図３に示すように、断面略四角形の中空柱状で、水平面１及び傾斜面２に略鉛直状に立設され、幅方向に並行状及び長手方向に直列状に配置された桁材４に対応して所定間隔を置いて２列状に配列されている。なお、この実施形態では各桁材４を２本の支柱３により支持するようになっているが、１本の桁材４を３本以上の支柱３により支持するようにしても良い。
【００１２】
桁材４は、図１及び図３〜図５に示すように、断面略四角形の中空柱状で、水平面１に対応する部分と傾斜面２に対応する部分とによって異なる構造で支柱３の上側に支持されている。即ち、水平面１に対応する桁材４は支柱３の上端部にＬ字金具、溶接等により直接固定され、一方、傾斜面２に対応する桁材４はヒンジ９を介して支柱３に間接的に取り付けられている。なお、水平面１、傾斜面２に対応する桁材４は、夫々水平面１、傾斜面２と略平行に設けられている。
【００１３】
ヒンジ９は、図４及び図５に示すように、支柱３の上端部に取り付けられた挟持ブラケット１０と、桁材４の下面に取り付けられた嵌合ブラケット１１と、挟持ブラケット１０と嵌合ブラケット１１とを連結する連結軸１２とを備え、傾斜面２の傾斜角度に対応して、支柱３と桁材４とのなす角度を連結軸１２廻りに無段階的に選択できるように構成されている。
【００１４】
挟持ブラケット１０は、上下方向の中間のフランジ部１３と、このフランジ部１３の基部側の固定脚部１４と、フランジ部１３の先端側の一対の挟持片１５とを一体に備えている。固定脚部１４は略矩形板状で、フランジ部１３の幅方向の両側から基部側に突出するように形成されており、支柱３にその上端部から挿入され、フランジ部１３が支柱３の上端に当接された状態で、タッピングビス等により支柱３に固定されている。挟持片１５はフランジ部１３の幅方向の両側から先端側に突出するように形成されており、その間が嵌合ブラケット１１用の嵌合空間１６となっている。また挟持片１５はその先端側が略半円形状に構成されており、その半円形の略中心部分に連結軸１２用の挿通孔１７が形成されている。
【００１５】
嵌合ブラケット１１は、基部側の平板状の固定部１８と、この固定部１８の先端側の嵌合片１９とを一体に備え、その固定部１８が桁材４の下面に当接されてボルト・ナット、タッピングビス等により固定されている。嵌合片１９は、固定部１８の幅方向の略中央から先端側に突出するように形成されており、挟持ブラケット１０の嵌合空間１６に嵌合できるように、その幅よりも僅かに小さい厚みに構成されている。また嵌合片１９はその先端側が略半円形状に構成されており、その半円形の略中心部分に連結軸１２用の挿通孔２０が形成されている。
【００１６】
連結軸１２はボルト・ナット、ピン等により構成され、挟持ブラケット１０の嵌合空間１６に嵌合ブラケット１１の嵌合片１９が嵌合された状態で、各ブラケット１０，１１の挿通孔１７，２０に跨って桁材４の幅方向に挿通されており、この連結軸１２により各ブラケット１０，１１が連結されている。
【００１７】
継ぎ手５は、図１及び図６〜図８に示すように、長手方向に隣り合う桁材４の間に配置された幅方向の連結軸２１と、先端部に連結軸２１用の挿通孔２２が形成され且つ基部側が長手方向に隣り合う桁材４の一方に固定された挟持ブラケット２３と、先端部に連結軸２１用の挿通孔２４が形成され且つ基部側が他方の桁材４に固定された嵌合ブラケット２５とを備え、挟持ブラケット２３の先端側に嵌合ブラケット２５の先端側を嵌合した状態で各ブラケット２３，２５に跨ってその挿通孔２２，２４に連結軸２１が挿通されており、この継ぎ手５により長手方向に隣り合う桁材４の相対向する端部が連結されている。そしてこの継ぎ手５は、傾斜面２の傾斜角度に対応して、長手方向に隣り合う桁材４の上下方向の連結角度をその連結軸２１廻りに無段階的に選択できるようになっている。
【００１８】
挟持ブラケット２３は、桁材４の長手方向の中間部分に形成されたフランジ部２６と、このフランジ部２６の基部側に形成された固定部２７と、フランジ部２６の先端側に形成された一対の挟持片３１とを一体に備えている。固定部２７は、基部側に突出する略矩形板状の固定脚部２９と、その下側で固定脚部２９よりも小さく基部側に突出する略矩形板状の突出部３０とをフランジ部２６の幅方向の両側に備え、この固定脚部２９及び突出部３０が桁材４にその端部から挿入されて、フランジ部２６が桁材４の端部に当接した状態で、固定脚部２９が桁材４にタッピングビス等により固定されている。なお、固定脚部２９及び突出部３０は桁材４の内寸に略対応しており、固定脚部２９の上面が桁材４の内上面に、固定脚部２９及び突出部３０の外側面が桁材４の内側面に、突出部３０の下面が桁材４の内下面に夫々当接又は僅かな隙間をもって近接するようになっている。
【００１９】
挟持片３１は、フランジ部２６の幅方向の両側から先端側に突出するように設けられ、その間に嵌合ブラケット２５用の嵌合空間３２が形成されている。また挟持片３１は、その先端の上部に幅方向の略円柱形状の連結軸挿通部３３が形成され、この連結軸挿通部３３とフランジ部２６の上端部とをフランジ部２６と略直交状に結ぶ上縁部３４と、連結軸挿通部３３とフランジ部２６の下端部側とを傾斜状に結ぶ傾斜縁部３５とにより略三角形板状、取り分け直角三角形板状に構成されている。
【００２０】
嵌合ブラケット２５は、桁材４の長手方向の中間部分に形成されたフランジ部３６と、このフランジ部３６の基部側に形成された固定部３７と、フランジ部３６の先端側に形成された嵌合片４１とを一体に備えている。なお、固定部３７は、固定脚部３９と突出部４０とを備え、挟持ブラケット２３の固定部２７と略同一に構成されており、同様にして他方の桁材４の端部に取り付けられている。
【００２１】
嵌合片４１は、フランジ部３６の幅方向の略中央から突出するように設けられ、挟持ブラケット２３の嵌合空間３２に嵌合できるように、その幅よりも僅かに小さい厚みに構成されている。また嵌合片４１は、その先端の上部に幅方向の略円柱形状の連結軸挿通部４２が形成され、この連結軸挿通部４２とフランジ部３６の上端部とをフランジ部３６と略直交状に結ぶ上縁部４３と、連結軸挿通部４２とフランジ部３６の下端部側とを傾斜状に結ぶ傾斜縁部４４とにより略三角形板状、取り分け直角三角形板状に構成されており、挟持ブラケット２３の挟持片３１と略同一の形状となっている。
【００２２】
挿通孔２２，２４は、各ブラケット２３，２５の連結軸挿通部３３，４２の略中央部に形成されている。そして、挟持ブラケット２３の嵌合空間３２に嵌合ブラケット２５の嵌合片４１が嵌合され、各ブラケット２３，２５の連結軸挿通部３３，４２及び挿通孔２２，２４が夫々略重なり合った状態で、各ブラケット２３，２５の挿通孔２２，２４に跨って連結軸２１が挿通されて、各ブラケット２３，２５が連結されている。
【００２３】
連結軸２１はボルト・ナット、ピン等により構成され、隣り合う桁材４の上端縁の延長線の略交点上に配置されており、その各桁材４の相対向する端部との距離が略等しくなっている。また挟持ブラケット２３の挟持片３１と嵌合ブラケット２５の嵌合片４１との間には僅かな隙間が形成されるようになっており、連結軸２１の挿通により連結された状態においても、その連結角度を変更できるようになっている。なお、連結軸２１をボルト・ナットにより構成する場合には、挟持片３１を嵌合片４１側に幅方向の両側から締め付けて固定するようにしても良い。また挟持片３１の厚み方向の外面及び嵌合片４１の厚み方向の両面には、略三角形状の凹み４５が形成されている。
【００２４】
主屋根７は、図１〜図３に示すように、桁材４の連結部６の近傍を除く長手方向の略全体にわたって設けられており、並行する桁材４に跨ってその上側に設けられた梁材４６と、この梁材４６の上側に設けられた屋根板４７と、この屋根板４７を梁材４６に固定するための固定部材４８と、主屋根７の幅方向の両側の樋４９とを備えている。
【００２５】
梁材４６は、下面及び側面が略平坦面に、上面が円弧面に夫々形成された下部側に幅広部分を有する蒲鉾形状で、並行する桁材４から幅方向の外側に突出するようにその両者の上側に跨って、桁材４の長手方向に所定間隔を置いて複数配置されている。なお、梁材４６はその厚み方向の両側のＬ字金具５０を介して桁材４に固定されている。
【００２６】
屋根板４７は、梁材４６の上面に、その形状に沿った湾曲状態で固定部材４８により固定されている。固定部材４８は、屋根板４７の上面に沿って湾曲する帯板状に構成されており、屋根板４７を上から押さえた状態でタッピングビス等により梁材４６に固定されている。
【００２７】
樋４９は、断面Ｕ字状に構成され、梁材４６の側部に主屋根７の長手方向の略全長にわたって固定されており、屋根板４７からの雨水等を受けるようになっている。樋４９の内側の側面にはその上端に屋根板４７の上側に屈曲する爪部５１が一体に形成されており、この爪部５１により屋根板４７の幅方向の両縁部を係止するようになっている。また樋４９は、支柱３に沿って配管された排水管５２が適宜箇所に接続されており、雨水等を水平面１又は傾斜面２側に排出できるようになっている。
【００２８】
連結屋根８は、図１、図２、図６、図９及び図１０に示すように、桁材４の連結部６の長手方向の両側に対向する梁材４６の一方に固定された受け板５３と、他方に固定され且つその先端側が受け板５３の先端側に適当な上下間隔をおいてオーバーラップする掛け板５４とを別体に備え、主屋根７の梁材４６と略同一幅に構成されて、桁材４の連結部６の長手方向の両側の主屋根７の間に、並行する桁材４に跨って設けられている。なお、連結屋根８はアルミニウム又はその合金等の押し出し型材等により形成されている。
【００２９】
受け板５３は、図２、図６及び図９に示すように、前記一方の梁材４６の下部側の幅広部分にその幅方向の略全長にわたって一端が固定された第１部材５５と、この第１部材５５の他端側に連結された第２部材５６と、幅方向の両側に装着された側板５７とを備え、その第１部材５５及び第２部材５６が桁材４に当接又は近接するように設けられている。
【００３０】
第１部材５５は、一端に、タッピングビス等により一方の梁材４６の側面に略当接して固定される固定部６１を、他端側に、桁材４に略当接してタッピングビス等により固定される当接固定部６２を、この当接固定部６２の先端側に、上側に突出し且つ第２部材５６と係合して連結される連結固定部５８を夫々備え、略く字状の屈曲形状に形成されている。
【００３１】
第２部材５６は、一端に、第１部材５５と係合して連結される連結固定部５９を、他端側に、継ぎ手５の各ブラケット２３，２５の連結軸挿通部３３，４２に乗り上げ且つ先端部が継ぎ手５の連結軸２１より他端側に斜め上向きに突出する返し部６３を夫々備え、連結固定部５９と返し部６３との間が第１部材５５の当接固定部６２と略平行な略平面状に構成されると共に、桁材４に近接されている。
【００３２】
側板５７は、第１部材５５の一端から第２部材５６の他端にわたって、その幅方向の両側にタッピングビス等により固定されており、第１部材５５及び第２部材５６より上側に突出して、その幅方向の両側からの雨水等の漏れを防止するようになっている。なお、側板５７は、その下端縁が桁材４の上端縁と略同一高さとなるように設けられている。
【００３３】
掛け板５４は、図２、図６及び図１０に示すように、前記他方の梁材４６の下部側の幅広部分にその幅方向の略全長にわたって他端が固定された第１部材６４と、この第１部材６４の一端側に連結された第２部材６５と、幅方向の両側に装着された側板６６とを備え、その第１部材６４及び第２部材６５の上面側が梁材４６との固定部７０から受け板５３側へと下向きに傾斜する略平面状に形成されて、雨水等を受け板５３側に案内するようになっている。
【００３４】
第１部材６４は、他端に、タッピングビス等により他方の梁材４６の側面に略当接して固定される固定部７０を、一端側に、第２部材６５と係合して連結される連結固定部６７を、この連結固定部６７の下側に、桁材４に当接してタッピングビス等により固定される当接固定部７１を夫々備え、固定部７０と連結固定部６７との間が略平面状に構成されている。
【００３５】
第２部材６５は、他端に、第１部材６４と係合して連結される連結固定部６８を、一端に、下側に屈曲する屈曲部７２を夫々備え、連結固定部６８と屈曲部７２との間が第１部材６４と略平行な略平面状に構成されると共に、屈曲部７２側が継ぎ手５の連結軸２１より一方側に突出し、受け板５３の先端側に上下に適当な間隔をおいてオーバーラップしている。第１部材６４と第２部材６５とは、連結された状態でその上側が略平面状に形成されており、雨水等を受け板５３に案内するようになっている。
【００３６】
側板６６は、第１部材６４の他端から第２部材６５の一端にわたって、その幅方向の両側にタッピングビス等により固定されており、第１部材６４及び第２部材６５より上側に突出して、その幅方向の両側からの雨水等の漏れを防止するようになっている。なお、掛け板５４の幅は受け板５３よりも僅かに短くなっており、掛け板５４の側板６６の先端側が受け板５３の側板５７の内側に重なるようになっている。また側板６６の先端下側には連結軸２１を中心とする円弧状の切り欠き部６６ａが形成されている。また側板６６は、その下端縁が桁材４の上端縁と略同一高さとなるように設けられている。
【００３７】
また受け板５３には、その第１部材５５の当接固定部６２に排水穴が形成されている。排水穴は並行する桁材４の両外側に形成されており、近傍の支柱３に沿って配管された排水管（図示略）が接続されて、連結屋根８の雨水等を水平面１又は傾斜面２側に排出するようになっている。
【００３８】
この組み立て構築物の施工に際しては、まず水平面１及び傾斜面２に立設された支柱３の上側に桁材４を取り付ける。このとき、傾斜面２側の支柱３にヒンジ９を介して桁材４を取り付けるので、傾斜面２の傾斜角度に対応して、支柱３と桁材４とのなす角度を無段階に選択することができる。従って、傾斜面２の傾斜角度（支柱３と桁材４とのなす角度）が異なる場合にも、同一のヒンジ９を用いることができ、また同一の構造により簡単に取り付けることができる。
【００３９】
次に、水平面１側の桁材４と傾斜面２側の桁材４との相対向する端部を、傾斜面２の傾斜角度に対応する連結角度で継ぎ手５を介して連結する。相対向する桁材４の端部の一方に継ぎ手５の挟持ブラケット２３を、他方に嵌合ブラケット２５を予め取り付けておき、その挿通孔２２，２４を合致させて連結軸２１を挿通すれば良い。また挟持ブラケット２３の嵌合空間３２の幅が、嵌合ブラケット２５の嵌合片４１の厚みよりも若干大きくなっているので、容易に挿通孔２２，２４を合致させることができる。
【００４０】
継ぎ手５を、一方の桁材４に固定される挟持ブラケット２３と、他方の桁材４に固定される嵌合ブラケット２５と、それらの挿通孔２２，２４に跨って挿通される１本の連結軸２１とにより構成しているので、傾斜面２の傾斜角度に対応して、長手方向に隣り合う桁材４の連結角度を連結軸２１廻りに無段階に選択可能である。従って、傾斜面２の傾斜角度（隣り合う桁材４の連結角度）の如何にかかわらず、同一の構造で簡単に連結することができる。
【００４１】
図１１〜図１４は、長手方向に隣り合う桁材４の様々な連結角度の選択例を示している。なお、図１１は、一方側の桁材４を一方に下向き４５度の傾斜状に、他方側の桁材４を略水平に夫々設けたものであり、図１２は一方側の桁材４を一方に下向き３０度の傾斜状に、他方側の桁材４を略水平に夫々設けたものであり、図１３は一方側の桁材４を略水平に、他方側の桁材４を他方に上向き４５度の傾斜状に夫々設けたものであり、また図１４は両者を略水平に設けたものである。
【００４２】
このように山型傾斜状、谷型傾斜状、平行状等、隣り合う桁材４の連結角度が夫々異なる各連結部６で、同一の継ぎ手５を用いることが可能である。勿論、例示以外の連結角度も無段階に選択可能である。継ぎ手５の各ブラケット２３，２５に、その先端の上部から基部の下端側に傾斜する傾斜縁部３５，４４を形成しているので、一方側又は他方側の桁材４を一方又は他方に下向きの傾斜状に設ける場合、又は一方側及び他方側の桁材４を一方及び他方に下向きの傾斜状に設ける場合に、各ブラケット２３，２５が干渉する傾斜角度を大きくでき、連結角度の選択可能範囲を大きくすることができる。
【００４３】
なお、各ブラケット２３，２５のフランジ部２６，３６と傾斜縁部３５，４４とのなす角度を大きくすることにより、更に大きい傾斜角度で連結することも可能である。即ち、この実施形態では、図１１に示すように、一方側又は他方側の桁材４が一方又は他方に下向き４５度に傾斜したときに、各ブラケット２３，２５の傾斜縁部３５，４４が相手側のブラケット２５，２３に略当接し、それ以上の連結角度を選択できないようになっているが、例えば、各ブラケット２３，２５の上縁部３４，４３を長くして、フランジ部２６，３６と傾斜縁部３５，４４とのなす角度を大きくすれば、連結角度の選択可能範囲を大きくすることができる。
【００４４】
また図１４に示すように、隣り合う桁材４を略平行状に連結する際にも、この継ぎ手５を介して連結することが可能であるが、この場合は、平板状の連結部材を介して連結する等、周知の連結手段を用いても良い。
【００４５】
桁材４を連結したら、並行する桁材４に跨って主屋根７を設置する。樋４９の内側面に爪部５１を一体に設け、その爪部５１により屋根板４７の幅方向の両縁部を係止するように構成しているので、屋根板４７の縁部を押さえるための部材と樋４９とを別々に設けて夫々取り付ける場合に比べ、施工の手間を省くことができ、また部品点数を減らすことができる。
【００４６】
次に、連結部６の両側の主屋根７の間に跨って連結屋根８を取り付ける。このとき、図６及び図１１〜図１４に示すように、隣り合う桁材４の内、下になる側に受け板５３を、上になる側に掛け板５４を夫々設ける。これにより掛け板５４側から受け板５３側に雨水等を円滑に案内できる。また図１１、図１２及び図１４に示すように、掛け板５４を設ける側の桁材４が略水平状に設けられている場合にも、掛け板５４の第１部材６４及び第２部材６５により形成される平面状部分が受け板５３側に下がる傾斜状に構成されているので、雨水等を確実に受け板５３側に案内できる。
【００４７】
連結屋根８を受け板５３と掛け板５４とにより別々に構成し、その掛け板５４の先端側を受け板５３の先端側に対して所定の隙間をおいてオーバーラップするように配置しているので、山型傾斜状、谷型傾斜状、平行状等、隣り合う桁材４の連結角度が夫々異なる各連結部６で、同一部材により連結屋根８を構成することができ、また掛け板５４側の雨水等を受け板５３側に確実に案内することができる。
【００４８】
継ぎ手５の連結軸２１を、長手方向に隣り合う桁材４の間でその両者の上端縁の延長線上（両者を屈曲状に設けた場合には上端縁の延長線の交点上）に設け、継ぎ手５の上側部分を角度変化の回転中心としているので、連結角度の変化に伴う相対向する桁材４の上端角部間の距離の変化を小さくできる。従って、桁材４の連結部６の上側に連結屋根８、その他の部材を設ける場合にも、その連結角度の如何にかかわらず同一の部材を用いることが容易であり、部品点数を少なくでき、コストを削減することができる。実施形態のように連結屋根８を設ける場合には、その受け板５３及び掛け板５４の先端部、即ち返し部６３及び屈曲部７２と連結軸２１との距離を小さくできるので、連結角度の変化に伴う受け板５３及び掛け板５４の先端部の移動量が少なく、広い範囲の連結角度に対して同一の部材で連結屋根８を構成することが可能である。
【００４９】
なお、図１１及び図１２に示すように受け板５３を設ける側の桁材４を下向きの傾斜状に設ける場合は、受け板５３の第１部材５５の当接固定部６２ではなく当接固定部６２と固定部６１との間に排水穴７３を形成すれば、雨水等を確実に排出できる。
【００５０】
また図１１に示すように受け板５３を設ける側の桁材４が下向きに４５度傾斜している場合、また図１３に示すように掛け板５４を設ける側の桁材４が上向きに４５度傾斜している場合には、この実施形態では、連結屋根８の受け板５３と掛け板５４との先端側が略接触し、それ以上大きな連結角度を選択できないように構成されているが、それらの先端側の形状の変更、受け板５３と掛け板５４との間の隙間寸法の変更等により、さらに大きな連結角度を選択することも可能である。
【００５１】
図１５及び図１６は本発明の第２の実施形態を例示する。この実施形態は略水平状に設けられた桁材４の側方に、この水平状の桁材４に略直交し且つその桁材４と反対側が下となるように傾斜する桁材４を、短尺桁材７４を介して連続状に設けたものである。水平状の桁材４の側部には、その長手方向に所定間隔をおいて短尺桁材７４が並行状に、適宜連結部材、溶接等により固定されている。短尺桁材７４は、略水平状に設けられると共に、水平状の桁材４と略直交状に設けられており、この短尺桁材７４と直列状に、傾斜状の桁材４が前記所定間隔をおいて並行状に配置されている。短尺桁材７４と傾斜状の桁材４との相対向する端部には、その一方に継ぎ手５の挟持ブラケット２３又は嵌合ブラケット２５が、他方に嵌合ブラケット２５又は挟持ブラケット２３が夫々取り付けられており、それらの挿通孔２２，２４に跨って連結軸２１が挿通されて、短尺桁材７４と傾斜状の桁材４とが連結されている。また短尺桁材７４の上側には連結屋根８の掛け板５４が、傾斜状の桁材４の上側には受け板５３が夫々設けられており、掛け板５４の水平状の桁材４側の端部は、主屋根７の梁材４６等に固定されている。他の構成は第１の実施形態と略同様である。
【００５２】
このように、水平状と傾斜状の桁材４を略Ｔ字状に設けることも可能である。短尺桁材７４を水平状の桁材４と略直交状にその側部に固定し、短尺桁材７４と傾斜状の桁材４とを継ぎ手５を介してその長手方向に連結しているので、第１の実施形態と略同一の構造で連結することができる。従って、短尺桁材７４と傾斜状の桁材４との連結角度が異なっても同一の継ぎ手５、連結屋根８等の部材を用いることができる。なお、この実施形態において、傾斜状の桁材４を、水平状の桁材４と反対側が上となるような傾斜状に設ける場合には、短尺の桁材４の上側に連結屋根８の受け板５３を設ければ良い。
【００５３】
以上、本発明の各実施形態について詳述したが、本発明はこれらの実施形態に限られるものではなく、本発明の趣旨を逸脱しない範囲で種々の変更が可能である。例えば、実施形態では水平面１に略平行に設けられた桁材４と、傾斜面２に略平行に設けられた桁材４とを、継ぎ手５を介して屈曲状に連結しているが、同一水平面１上に、略水平状の桁材４と、傾斜状の桁材４とを直列状に設け、それらの相対向する端部を屈曲状に連結しても良い。また水平面１及び傾斜面２に、夫々略平行に桁材４を設けているが、必ずしも平行に設ける必要はない。
【００５４】
継ぎ手５の両側の桁材４の内、一方を略水平状に、他方を傾斜状に夫々設けているが、両者とも傾斜状に設けても良い。その場合、両者が同一方向に傾斜し、その傾斜角度が異なるように設けても良いし、異なる方向に傾斜する設けても良い。
【００５５】
継ぎ手５の各ブラケット２３，２５の挟持片３１と嵌合片４１とを略同一形状に構成し、長手方向に隣り合う桁材４の相対向する端部から連結軸２１までの距離を等しくしているが、挟持片３１と嵌合片４１とを異なる形状に構成し、何れか一方の桁材４の端部寄りに連結軸２１を配置しても良い。要するに、本発明では継ぎ手５の連結軸２１が長手方向に隣り合う桁材４の間でその上端縁の延長線上又はその近傍に配置されると共に、継ぎ手５の各ブラケット２３，２５に傾斜縁部３５，４４が形成されていれば良い。
【００５６】
実施形態では、継ぎ手５の連結軸２１を隣り合う桁材４の上端縁の延長線上（上端縁の交点上）に配置しているが、その近傍に配置しても良い。即ち、連結角度の変化の際に回転中心となる連結軸２１が継ぎ手５の上部に配置されていれば良く、連結角度の変化に伴う相対向する桁材４の上端部間の距離の変化を小さくすることができる。
【００５７】
第２の実施形態では、水平状の桁材４の側部に短尺桁材７４を固定し、この短尺桁材７４と傾斜状の桁材４とを継ぎ手５を介して連結することにより、略Ｔ字状の連結を可能にしているが、略同様の構造を用いて十字状、その他に構成することも可能である。
【００５８】
並行する桁材４に跨って主屋根７を設けると共に、連結部６の上側でその両側の主屋根７の間に連結屋根８を設けているが、それらの構成は適宜変更しても良い。また実施形態では、連結屋根８の受け板５３と掛け板５４とを桁材４及び主屋根７の梁材４６に固定しているが、どちらか一方に固定する等、その固定構造を適宜変更しても良い。なお、桁材４の上側には、主屋根７及び連結屋根８を必ずしも設けなくても良いし、その他の部材を設けても良い。
【００５９】
実施形態では、並行する２本の桁材４の上側に跨って主屋根７及び連結屋根８を設けているが、１本の桁材の上側に、又は並行する３本以上の桁材４の上側に跨って主屋根７及び連結屋根８を設けることも可能である。
【００６０】
【発明の効果】
本発明によれば、支柱により支持された桁材を長手方向に直列状に配置し、長手方向に隣り合う各桁材の対向端部を継ぎ手を介して連結した組み立て構築物において、継ぎ手はその両側の各桁材の上端縁の延長線上又はその近傍に桁材の幅方向に配置された連結軸を有し、桁材上に配置された主屋根と、継ぎ手の上方に配置された連結屋根とを備え、連結屋根は一方の桁材上に近接して設けられた受け板と、他方の桁材上に受け板側に傾斜して設けられ且つ先端側が受け板の先端側との間に所定の隙間をおいてオーバーラップする掛け板とを備えているので、桁材を連結する継ぎ手の連結角度を無段階に選択できると共に、連結角度の変化に伴う相対向する桁材の上端部間の距離の変化を小さくでき、しかも部品点数を少なくすることができる。
【図面の簡単な説明】
【図１】本発明の第１の実施形態を例示する組み立て構築物の正面図である。
【図２】本発明の第１の実施形態を例示する組み立て構築物の平面図である。
【図３】本発明の第１の実施形態を例示する組み立て構築物の側断面図である。
【図４】本発明の第１の実施形態を例示するヒンジの構造を示す正面図である。
【図５】本発明の第１の実施形態を例示するヒンジの構造を示す側断面図である。
【図６】本発明の第１の実施形態を例示する桁材の連結部近傍を示す正断面図である。
【図７】本発明の第１の実施形態を例示する継ぎ手の構造を示す一部破断平面図である。
【図８】本発明の第１の実施形態を例示する継ぎ手の分解斜視図である。
【図９】本発明の第１の実施形態を例示する連結屋根の受け板の連結固定部の拡大断面図である。
【図１０】本発明の第１の実施形態を例示する連結屋根の掛け板の連結固定部の拡大断面図である。
【図１１】本発明の第１の実施形態を例示する桁材の連結角度の一例を示す説明図である。
【図１２】本発明の第１の実施形態を例示する桁材の連結角度の一例を示す説明図である。
【図１３】本発明の第１の実施形態を例示する桁材の連結角度の一例を示す説明図である。
【図１４】本発明の第１の実施形態を例示する桁材の連結角度の一例を示す説明図である。
【図１５】本発明の第２の実施形態を例示する組み立て構築物の断面図である。
【図１６】本発明の第２の実施形態を例示する組み立て構築物の平面図である。
３  支柱
４  桁材
５  継ぎ手
７  屋根体
８  連結屋根
２１  連結軸
２２，２４  挿通孔
２３  挟持ブラケット
２５  嵌合ブラケット
３５，４４  傾斜縁部
５３  受け板
５４  掛け板
７４  短尺桁材
【図１】
0003858148.tif 000002
【図２】
0003858148.tif 000003
【図３】
0003858148.tif 000004
【図４】
0003858148.tif 000005
【図５】
0003858148.tif 000006
【図６】
0003858148.tif 000007
【図７】
0003858148.tif 000008
【図８】
0003858148.tif 000009
【図９】
0003858148.tif 000010
【図１０】
0003858148.tif 000011
【図１１】
0003858148.tif 000012
【図１２】
0003858148.tif 000013
【図１３】
0003858148.tif 000014
【図１４】
0003858148.tif 000015
【図１５】
0003858148.tif 000016
【図１６】
0003858148.tif 000017